(57)【要約】熱伝導性且つ電気絶縁性のオーバーモールド１２０は、ディスクドライブ・アクチュエータ組立て品１１０中のアクチュエータコイル１１８を包んで保護し且つ支持する。該オーバーモールドは、窒化ホウ素、アルミナ、窒化アルミニウム、酸化マグネシウム、酸化亜鉛、炭化ケイ素、酸化ベリリウム、酸化クロム又はそれらのある組合せのようなセラミック充填剤化合物と混合されているベース樹脂から造られている。該ベース樹脂は好ましくは、ポリフェニレンサルファイドである。好ましくはガラス充填剤及び／又はカップリング剤も添加されている。該オーバーモールドは、作動中、アクチュエータコイルの突発的な膨張と収縮とによって生じるポッピング力を低減させることによって、該アクチュエータ組立て品により支持されている読込み／書込みヘッド１１６のオフ・トラック位置エラーを減少させる。
2004526275.tif 000002
【特許請求の範囲】
【請求項１】
回転可能なディスク；及び
前記ディスクに隣接して支持されている読取り／書込みヘッドと、回転可能なアクチュエータ組立て品を回転させるために電流がアクチュエータコイルに流される該アクチュエータコイルと、該アクチュエータコイルを包んで保護し且つ支持しているオーバーモールドであって、セラミック充填剤化合物と混合されているベース樹脂で形成されており、しかも、該アクチュエータコイルに電流を流すことに起因して該アクチュエータコイルが加熱されている間、該オーバーモールドのポッピングを最小限に抑える熱膨張率を有するように配置されている該オーバーモールドとを包含している該アクチュエータ組立て品；
を備えているディスクドライブ。
【請求項２】
セラミック充填剤化合物が、窒化ホウ素、アルミナ、窒化アルミニウム、酸化マグネシウム、酸化亜鉛、炭化ケイ素、酸化ベリリウム及び酸化クロムから成る、セラミック充填剤化合物の群から選ばれている、請求項１に記載のディスクドライブ。
【請求項３】
セラミック充填剤化合物が、オーバーモールド中に２５〜９０質量％の濃度で存在している、請求項１に記載のディスクドライブ。
【請求項４】
ベース樹脂及びセラミック充填剤化合物と混合されているガラスを更に含有している、請求項１に記載のディスクドライブ。
【請求項５】
ベース樹脂が液晶ポリマーである、請求項１に記載のディスクドライブ。
【請求項６】
ベース樹脂が、ポリエチレンナフタレート、ポリエチレンテレフタレート、ポリブチレンテレフタレート、ポリアミド、ポリフタルアミド、ポリフェニレンサルファイド、ポリカーボネート、ポリエーテルエーテルケトン及びポリフェニレンオキシドから成る、ベース樹脂の類から選ばれている、請求項１に記載のディスクドライブ。
【請求項７】
ベース樹脂が、オーバーモールド材料中に１０〜７５質量％の濃度で存在している、請求項１に記載のディスクドライブ。
【請求項８】
オーバーモールド材料が、カップリング剤を更に含有している、請求項１に記載のディスクドライブ。
【請求項９】
カップリング剤が、ネオアルコキシチタネート又はモノアルコキシチタネートから成る、カップリング剤の類から選ばれている、請求項８に記載のディスクドライブ。
【請求項１０】
オーバーモールド材料が、少なくとも０．４０Ｗ／ｍ−oＫの熱伝導率を有している、請求項１に記載のディスクドライブ。
【発明の詳細な説明】
【技術分野】
【０００１】
（関連出願）
本出願は、２００１年５月１０日に出願された米国仮出願第６０／２９０、０９３号の利益を主張する。
（発明の分野）
特許請求の範囲に記載の発明は、概してディスクドライブデータ記憶デバイス（disc drive data storage devices）に関し、一層詳しく言えば、対応する数のディスクレコーディング（disc recording）表面に隣接する読取り／書込みヘッドのアレイ（array）を作動させるのに使用されるアクチュエータ（actuator；作動装置）のコイルを支持するのに使用される新規なオーバーモールド（overmold）に関する。
【背景技術】
【０００２】
（発明の背景）
「ウィンチェスター（Winchester）」型ディスクドライブとして知られているタイプのデータ記憶デバイスは産業界では周知である。これらのディスクドライブは、１つ以上の剛性円板の表面の、円形同心のデータトラックの上にデジタルデータを磁気的に記録する。それらディスクは典型的には、スピンドルモータ（spindle motor）のハブ（hub）に取り付けてあり、回転するようになっている。現世代のディスクドライブにおいて、それらディスクは１００００回転／分までの速度で回転する。
垂直に並べられた読取り／書込みヘッド組立て品又はヘッドであって、アクチュエータ組立て品により制御可能なように配置されている該読取り／書込みヘッドの組立て品又は該ヘッドのアレイによって、データは、ディスクに記録され、且つディスクから取り出される。各々のヘッドは典型的には、空気ベアリングスライダー（slider；摺動体）の上に保持されている、電磁型変換器の読取り要素及び書込み要素を有している。該スライダーは、スピニングディスク（spinning discs）によって持ち込まれた空気の薄層との協同的流体力学的な関係で作用して、ディスク表面に対して近接に一定間隔を置いた関係で各々のヘッドを揚げる。ヘッドとディスクの間の適切な浮遊関係（flying relationship）を維持するために、該ヘッドは、ヘッドのサスペンション（suspensions）又は屈曲部（head flexures）に付着され、また、それらによって支持される。
【０００３】
歴史的に見ると、それらヘッドを配置するのに使用されるアクチュエータ組立て品は、多くの形態をとってきた。現世代の大抵のディスクドライブには、回転式ボイスコイルアクチュエータと呼ばれるタイプのアクチュエータが組み込まれている。典型的な回転式ボイスコイルアクチュエータは、ディスクの外縁に隣接する位置でディスクドライブハウジングベースデッキに固定されている軸ピン（pivot shaft）を備えている。軸ピンは、その中心軸がディスクの回転面の法線となるようなやり方で取り付けられている。アクチュエータベアリングハウジングは、精密なボールベアリング組立て品を配列することによって、軸ピンに取り付けられている。アクチュエータベアリングハウジングは、永久磁石の磁界の中にさらされるコイルを支持する。該永久磁石は、ディスクドライブハウジングベースデッキに取り付けられている。
【０００４】
アクチュエータ組立て品は、中央に配置されるＥ−ブロックをも備えている。コイルに向かい合ったアクチュエータベアリングハウジングの側には、垂直に並び、半径方向に伸びている複数のアクチュエータアームが存在する。それらアクチュエータアームとコイルとは、Ｅ−ブロックに連結されている。屈曲部（flexures）がそれらアクチュエータアームに取り付けられている。電流がコイルに流されるとき、コイルは磁界を生じ、それは永久磁石の磁界と相互に作用して、軸ピン（pivot shaft）の周りにアクチュエータベアリングハウジングを回転させ、それによって、ディスク表面を横切ってヘッドを移動させる。
例えば、ダフィ（Duffy）等に対して１９９３年１１月１６日に発行され本発明の譲受人に譲渡された米国特許第５，２６２，９０７号の明細書に開示される閉ループサーボシステム（closed loop servo system）は典型的には、データトラック（data tracks）に関してヘッド位置を維持するのに使用される。そのようなサーボシステムは、ディスクドライブを製造する間にトラックに書込まれた、サーボデータ領域（servo data field）からのヘッド位置情報を得て、作動のトラックフォローイングモード（track following mode）の間、関連トラック（associated track）の上に選定ヘッドを保持する。
【０００５】
作動の探索モード（seek mode）は、ヘッドを初期トラック（initial track）から離す初期加速（initial acceleration）と、後続の、目的トラック（destination track）に向かってヘッドを減速させることとを包含するが、この探索モードは、サーボシステムによっても制御される。ヘッドの速度が繰返し測定されて速度プロフィールと比較され、ヘッドが目的トラックに向かって移動するとき、コイルに流される電流は通常、現実の速度（actual velocity）とプロフィール速度（profile velocity）の間の差異に比例するという点で、前記の検索作動は典型的には、速度制御が行われる。
産業界において継続している傾向は、絶えず増大しているデータ記憶と転送容量（transfer capabilities）とをディスクドライブに与えることである。この傾向は、検索作動を行うのに必要な時間を最小限に抑える努力につながっている。典型的な検索作動には、初期オーバーヘッド時間であって、その時間の間にディスクドライブがそれの初期作動を果たす該初期オーバーヘッド時間と；検索時間であって、その時間の間にヘッドが目的トラックに移動して該目的トラックの上に止まる該検索時間と；回転待ち時間であって、その時間の間に、ディスクがヘッドに関連して回転しながら、該目的トラック上の特定のセクター（sector）が該ヘッドに到達するまで、該ドライブが待機する該回転待ち時間と；が包含される。
【発明の開示】
【発明が解決しようとする課題】
【０００６】
検索作動の加速相と減速相との間、コイルに大きな電流を流すことによって、検索時間は最小限に抑えられてきた。しかし、電流が増大するにつれて、コイルによって熱として放散される電気エネルギーも増大するので、コイルの温度は増大する。コイルの温度が増大するにつれて、コイルの抵抗は増大し且つ制御電流の大きさは制限され、そのことはまた検索時間にも悪影響を与える。加えて、上昇するコイルの温度によって、ボイスコイルモータ（voice coil motor）（ＶＣＭ）を構築する場合に使用される接着剤及び絶縁材料を劣化させることがある。
アクチュエータ・オーバーモールドは、コイルを支持し且つ振動を減少させるために、現行技術のディスクドライブで使用されてきた。アクチュエータ・オーバーモールドは典型的には、液晶ポリマー（ＬＣＰ）、熱可塑性プラスチック樹脂又は熱硬化性プラスチック樹脂で構成され、アクチュエータ組立て品の一部分の上に形成される。アクチュエータ本体、コイル及び他の部品は典型的には、モールドキャビティ（mold cavity）を有するモールドの内側に組み立てられ配置され、熱可塑性物質がモールドキャビティに注入される。
【０００７】
幾つかのモデルによる検索作動の間に問題が生じた。なぜなら、コイルにより発生した熱によって、コイルが熱くなり膨張するからである。コイルによって発生した熱は、オーバーモールドを加熱する。オーバーモールドも膨張するが、コイルが膨張する速度とは異なる速度で膨張する。検索動作の後に、コイル及びオーバーモールドは収縮する；但し、異なる速度で収縮する。異なる速度で膨張し収縮する結果として、コイルとオーバーモールドの間に応力が発生してしまう。これらの応力は、「ポッピング（popping）」によって突発的に取り除かれる。このポッピングによって、アクチュエータ内で突発的力が内部的に発生する。この力によって、ヘッドは「オフトラック（off track；トラックはずれ）」に移動することがあり、それによって、データの読取りエラー及び書込みエラーが生じる。
【０００８】
異なる膨張率によって生じるそれら応力は、非晶質状態のガラス／鉱物充填済みポリマー樹脂はそれら樹脂の温度がガラス転移温度に到達する時、熱膨張係数が突発的に増大するという事実によって更に激化する。ガラス転移温度は、ポリマー鎖の間の相対運動の初期状態を表わす。該ポリマーがあるやり方で抑圧されるとき、ガラス転移温度によって該ポリマー鎖に内部歪みエネルギーが蓄積される。熱膨張係数のこの変化は、全てのポリマーが結晶質になっていない限り、可逆的である。オーバーモールド材料が冷却される時、温度がガラス転移温度より低くなるならば、蓄積エネルギーは利用可能となり、ポッピングが発生する結果となる。
従って、従来技術のこれらの及び他の限界を克服する、改善されたアクチュエータの設計が必要である。
【課題を解決するための手段】
【０００９】
（発明の概要）
好ましい具体例によると、熱伝導性且つ電気絶縁性のオーバーモールドは、ディスクドライブ・アクチュエータ組立て品のアクチュエータコイルを包んで保護し且つ支持するために提供される。オーバーモールドは、窒化ホウ素、アルミナ、窒化アルミニウム、酸化マグネシウム、酸化亜鉛、炭化ケイ素、酸化ベリリウム、酸化クロム又はそれらのある組合せで造られたセラミック充填剤化合物と混合されているベース樹脂から造られている。好ましい幾つかの具体例において、ベース樹脂は、液晶ポリマー、ポリエチレンナフタレート、ポリエチレンテレフタレート、ポリブチレンテレフタレート、ポリアミド、ポリフタルアミド、ポリフェニレンサルファイド、ポリカーボネート、ポリエーテルエーテルケトン及びポリフェニレンオキシドのような熱可塑性物質である。幾つかの具体例において、オーバーモールド材料は、カップリング剤及び／又はガラス繊維を含有する。
【００１０】
オーバーモールド材料は好ましくは、電気絶縁性であり熱伝導性であるように；しかも、アクチュエータコイルの熱膨張率と実質的に調和して（matches）、ポッピング（popping）（アクチュエータコイルの熱膨張と熱収縮とによって生じる突発的な力）に起因するヘッド位置エラーを減少させる熱膨張率を有するように；選定する。
特許請求の範囲に記載の発明を特徴付けるこれらの及び他の種々の特徴及び利点は、次の詳細な記述を読み、また、関連する諸図面を吟味することによって明らかになるものと思われる。
【００１１】
（詳細な記述）
図１は、本発明の好ましい具体例に従って構成されているディスクドライブ１００の上からの平面図を与える。ベースデッキ１０２及び上蓋１０４（一部切り取り図で示す）は協同して、ディスクドライブ１００のための密封済みハウジングを形成する。スピンドルモータ１０６は、一定の高速度で多数の磁気記録用ディスクを回転させる。
アクチュエータＥブロック１１０は、ディスク表面の近辺に伸びる剛性の多数のアクチュエータアーム（actuator arms）１１２を有する。それらアーム１１２から可とう性サスペンション（suspension；懸垂）組立て品１１４が伸びて、読取り／書込みヘッド１１６のアレイを支持している。アクチュエータ１１０は、ボイスコイルモータ（voice coil motor）（ＶＣＭ）１１９のアクチュエータコイル１１８に電流を流すことによって、旋回心軸で作動する。アクチュエータコイル１１８は、オーバーモールド構造（overmolded structure）（オーバーモールド）１２０として、アクチュエータの中に包まれて保護され該アクチュエータに取り付けられている。
【００１２】
図２は、アクチュエータオーバーモールド１２０の斜視図を一層詳しく示す。オーバーモールド１２０は、コイル１１８内に配置されている内側ボビン部分（inner bobbin portion）１２２と、コイル１１８の外側を取り囲んでいる外側部分１２４とを備えている。内側部分及び外側部分（１２２、１２４）は、図示されるように別々の部材であるか；又は代わりに、一体的に形成されていて、オーバーモールド１２０の部分がコイル１１８を横切って伸びて前記部分（１２２、１２４）を連結するようになっている場合がある。外側部分１２４は、アクチュエータ作動の半径方向限度で（図１に示される）リミットストップ（limit stops）（１３０、１３２）に接触するリミット表面（１２６、１２８）を有する。
外側部分１２４は、アクチュエータ１１０をラッチする（図１に示される）磁気ラッチ（magnetic latch）１３６に噛み合うラッチアーム（latch arm）１３４を更に有している。オーバーモールド１２０の特定の構成は所定の用途の必要条件によって変化することがあるため、図１及び図２に示される具体例は、例証を目的とするものであり、限定しようとするものではないことが理解されるであろう。
【００１３】
オーバーモールド１２０は、セラミック充填剤化合物と混合されているベース樹脂を含有するオーバーモールド材料で造られる。ベース樹脂は好ましくは、ポリフェニレンサルファイド（ＰＰＳ）；液晶ポリマー（ＬＣＰ）化合物；又は、ポリエチレンナフタレート、ポリエチレンテレフタレート及びポリブチレンテレフタレートを包含する化合物種から選ばれる熱可塑性ポリマー化合物；である。ベース樹脂として使用することのできる他のポリマーには、ポリアミド、ポリフタルアミド、ポリカーボネート、ポリエーテルエーテルケトン及びポリフェニレンオキシドが包含される。
【００１４】
好ましい具体例において、セラミック充填剤化合物は窒化ホウ素である。もう１つの好ましい具体例において、セラミック充填剤化合物はアルミナ（即ち、酸化アルミニウム）である。他のセラミック充填剤化合物には、窒化アルミニウム、酸化マグネシウム、酸化亜鉛、炭化ケイ素、酸化ベリリウム及び酸化クロムが包含されることがある。セラミック充填剤化合物はまた、上記の諸セラミック充填剤化合物として選定される物の混合物から造ることもできる。セラミック充填剤化合物は好ましくは、オーバーモールド材料の２５〜９０質量％を構成する。ベース樹脂は典型的には、オーバーモールド材料の１０〜７５質量％を構成する。
【００１５】
コイル１１８は、作動中、電流需要が異なることによって生じる加熱と冷却との幾つかのサイクルを受ける。コイル材料、アクチュエータ材料及びオーバーモールド材料は、異なる組成を有する。結果として、これらの異なる部品は、それら部品を異なる速度で膨張させ収縮させる異なる熱膨張係数を有する。このため、オーバーモールド１２０はかなりの量の歪みエネルギーを有する。この歪みエネルギーは、ポッピング（popping）として放出される。ポッピングを効果的に防ぐために、オーバーモールド材料は好ましくは、少なくとも０．４０Ｗ／ｍ−ｏＫの熱伝導率を有し、コイル１１８に電流を流すことによって発生する熱を効果的に放散させ、それによってポッピングを防ぐ。
【００１６】
好ましい幾つかの具体例において、ガラスファイバーをベース樹脂及びセラミック充填剤化合物と混合する。他の好ましい具体例において、オーバーモールド材料は、カップリング剤及び／又は分散剤（本明細書では、カップリング剤と呼ぶ）を含有する。カップリング剤によって、セラミック充填剤化合物が一層好ましく濡れるのが容易となる。カップリング剤は、オーバーモールド材料の溶融粘度を低減するのにも役立ち、また、ベース樹脂とセラミック充填剤化合物の間の付着を改善する。カップリング剤は、当該技術では周知であり、ネオアルコキシ（neoalkoxy）チタネートカップリング剤及びモノアルコキシ（monoalkoxy）チタネートカップリング剤が包含される。カップリング剤は典型的には、オーバーモールド材料の約０．１〜５質量％を構成する。
【発明の効果】
【００１７】
オーバーモールドは、アクチュエータに対する構造的支持と振動の減少とを与える他、コイル１１８から熱を追い出す。この熱は、ディスクドライブのハウジング内を流通する空気の流れに対する対流によって移動する。これによって、コイル及びオーバーモールドの異なる膨張速度によって生じる応力と；ポッピングの発生と；ポッピングによってヘッドがトラックから外れることによって生じる読取り及び書込みのエラー（errors）と；が防止されるか又は減少する。
【実施例１】
【００１８】
試験結果
異なる種類のオーバーモールド材料を有するデイスクドライブからの熱放散を測定するために、幾つかの試験を行った。コイルの温度は、９０秒間の時間の関数として測定した。図３は、経過時間のｘ軸１４０と温度（℃）のｙ軸１４２に対してプロットされた、特定の１−ディスク・ディスクドライブ（one-disc disc drive）のための試験結果を示す。温度曲線１４４によって示される試験に関し、ポリフェニレンサルファイド（ＰＰＳ）のベース樹脂は、ガラス２０質量％で充填した。これは、当該技術では既知のタイプのオーバーモールド材料であり、このオーバーモールド材料は、０．３Ｗ／ｍ−oＫの熱伝導率を有する。
【００１９】
曲線１４８は、ＰＰＳベース樹脂（４５質量％）と窒化ホウ素のセラミック化合物充填剤（４０質量％）を含有し、ガラス繊維（１５質量％）を混合したオーバーモールド材料（組成物「Ｃ」）を使用した試験を示す。曲線１４６は、ＰＰＳベース樹脂（４５質量％）と窒化ホウ素のセラミック化合物充填剤（３５質量％）を含有し、ガラス繊維（２０質量％）を混合したオーバーモールド材料（組成物「Ｇ」）を使用した試験を示す。
図３から、試験を行った組成物のうち組成物Ｃと組成物Ｇの両者は、従来技術の組成物よりも著しく優れた結果を与えると言うことができる。
【実施例２】
【００２０】
図４は、上記の組成物で造ったオーバーモールドを使用した２−ディスク・ディスクドライブのための試験結果を示す。温度曲線１５４は従来技術の組成物に関する結果を示し、温度曲線１５８は組成物Ｃに関する結果を示し、また、温度曲線１５６は組成物Ｇに関する結果を示す。前述のように、組成物Ｃは、試験を行った諸組成物のうち最良の結果を与えることが分かった。組成物Ｃと組成物Ｇの両者は、従来技術に比べて著しく良好に予備成形された。更なる諸試験によって、組成物Ｃと組成物Ｇの両者を使用すれば、ポッピングに起因するオフ・トラック（off-track）エラーが著しく減少することが示された。
【００２１】
従って、ディスクドライブ（例えば１００）に熱伝導性且つ電気絶縁性のオーバーモールド（例えば１２０）が与えられる。オーバーモールドは、セラミック充填剤化合物と混合されたベース樹脂から造られる。好ましい幾つかの具体例において、セラミック充填剤化合物は、窒化ホウ素、アルミナ、窒化アルミニウム、酸化マグネシウム、酸化亜鉛、炭化ケイ素、酸化ベリリウム、酸化クロム、又はそれらのある組合せを含有する化合物の群から選ばれる。好ましい幾つかの具体例において、ベース樹脂は、ポリエチレンナフタレート、ポリエチレンテレフタレート、ポリブチレンテレフタレート、ポリアミド、ポリフタルアミド、ポリフェニレンサルファイド、ポリカーボネート、ポリエーテルエーテルケトン及びポリフェニレンオキシドを含有する化合物の群から選ばれる化合物である。好ましい幾つかの具体例において、オーバーモールドはカップリング剤を含有する。オーバーモールド中に熱伝導性物質が存在すると、ポッピングを排除するのに役立つ。なぜなら、そのオーバーモールドは、熱伝導性物質を含有しないオーバーモールドと比べて、一層大きい熱伝達速度でコイルから熱を放散させるからである。
【００２２】
特許請求の範囲の請求項の目的上、用語「オーバーモールド」は、アクチュエータコイル（例えば、１１８）を包んで保護し支持する構造（例えば、１２０）を説明する前記の解説と一致するものと解釈する。オーバーモールドは、コイル内の内側ボビン部分（例えば、１２２）と、該コイルの外側に伸びている外側部分（例えば、１２４）とを有している。用語「包んで保護する（encapsulate）」は、アクチュエータコイルの少なくとも２つの側面を接触した状態で取り囲むことと解釈し、また、アクチュエータコイルの必ずしも全ての側面と接触する必要はない。
特許請求の範囲の請求項の目的上、「第１の手段」によって果たされる、列挙される機能は、ベース樹脂とセラミック充填剤化合物との組成物の、上記に開示される種々の具体例に従って形成されるオーバーモールド１２０によって実施されるものと解釈する。図３及び図４に関連して解説されている従来技術の化合物（例えば、ポリフェニレンサルファイドとガラス繊維との従来技術の組成物）は、列挙される機能を果たさないし、また、特許請求の範囲から明白に排除され、更に、同等品の定義から明白に排除される。
【００２３】
たとえ、本発明の種々の具体例の多数の特徴と利点とが、本発明の種々の具体例の構造及び機能に関する詳細と共に、前記記述の中に開示されていたとしても、この詳細な記述は、単に例証となるものであって、本発明の原理内において、特許請求の範囲の請求項が表現されている用語の広義の一般的意味によって示される範囲の及ぶ限り、とりわけ部品の構造及び配列に関し細部における変形を行うことが可能である。例えば、特定の構成要素は、本発明の趣旨及び範囲から逸脱することなく、オーバーモールドの特定の用途によって異なることがある。
加えて、本明細書に記述される具体例は、ディスクドライブ組立て品のためのオーバーモールドに向けられているものの、当業者は、特許請求の範囲に記載の発明の趣旨及び範囲から逸脱することなく、オーバーモールドを他のデバイスのために使用することができることを認識するであろう。
【図面の簡単な説明】
【００２４】
【図１】本発明の好ましい具体例に従って構成されているディスクドライブの平面図である。
【図２】本発明の好ましい具体例によるアクチュエータ組立て品の斜視図である。
【図３】単一ディスクを有するディスクドライブの中のオーバーモールドの熱損失特性を評価する試験の、［時間］対［温度］のプロットである。
【図４】２つのディスクを有するディスクドライブの中のオーバーモールドの熱損失特性を評価する試験の、［時間］対［温度］のプロットである。
【図３】
2004526275.tif 000003
【図４】
2004526275.tif 000004
【国際公開パンフレット】
2004526275.tif 000005
2004526275.tif 000006
2004526275.tif 000007
2004526275.tif 000008
2004526275.tif 000009
2004526275.tif 000010
2004526275.tif 000011
2004526275.tif 000012
2004526275.tif 000013
2004526275.tif 000014
2004526275.tif 000015
2004526275.tif 000016
2004526275.tif 000017
2004526275.tif 000018
2004526275.tif 000019
【国際調査報告】
2004526275.tif 000020
2004526275.tif 000021